(57)【要約】【課題】周辺セルの周波数を考慮して周波数を選定することにより、ハンドオーバにより周辺セルに移動した際に、急激な受信感度の劣化が生じることを防ぐこと。【解決手段】ＲＦ部１０２は、アンテナ１０１で受信した信号を無線周波数からベースバンド周波数にダウンコンバートする。周波数選定部１０６は、メモリ１０３に記憶している受信チャネル情報に基づいてカメラクロック周波数を選定する。タイミング制御部１０８は、基準クロックを逓倍及び分周する。タイミング制御部１１０は、タイミング制御部１０８で生成したクロックを基準クロックとしてさらに逓倍・分周してカメラクロック周波数の動作クロックを生成する。カメラ部１１１は、タイミング制御部で生成した動作クロックと同期して画像データを画像処理制御部１０９へ出力する。【選択図】図１
2008136200.tif 000002
【特許請求の範囲】
【請求項１】
各セルで使用する無線周波数の情報である受信チャネル情報を記憶する記憶手段と、
前記受信チャネル情報に基づいて前記無線周波数と干渉しない動作周波数を選定する周波数選定手段と、
前記周波数選定手段で選定した前記動作周波数の動作クロックを生成するとともに、生成した前記動作クロックでデバイスを動作させるタイミング制御手段と、
を具備する無線通信装置。
【請求項２】
基準クロックを供給する基準クロック供給手段を具備し、
前記タイミング制御手段は、前記基準クロック供給手段から供給された前記基準クロックを逓倍及び分周するとともに、逓倍及び分周した前記基準クロックを前記デバイス内でさらに逓倍及び分周して前記動作クロックを生成する請求項１記載の無線通信装置。
【請求項３】
前記タイミング制御手段は、逓倍及び分周した前記基準クロックを前記デバイスであるカメラモジュール内でさらに逓倍及び分周して前記動作クロックを生成し、生成した前記動作クロックで前記カメラモジュールを動作させる請求項２記載の無線通信装置。
【請求項４】
基準クロックを供給する基準クロック供給手段を具備し、
前記タイミング制御手段は、前記基準クロック供給手段から供給された前記基準クロックを逓倍及び分周して前記動作クロックを生成する請求項１記載の無線通信装置。
【請求項５】
前記タイミング制御手段は、生成した前記動作クロックで前記デバイスである液晶表示デバイスを動作させる請求項４記載の無線通信装置。
【請求項６】
前記タイミング制御手段は、生成した前記動作クロックで、メモリカードに記憶したデータの読み取りまたはメモリカードに対するデータの書き込みを行う前記デバイスであるメモリカードデバイスを動作させる請求項４記載の無線通信装置。
【請求項７】
前記周波数選定手段は、前記受信チャネル情報の周波数と選定可能な前記動作周波数の高調波信号成分の周波数である候補周波数との周波数軸上の距離に基づいて前記受信チャネル情報の周波数毎に前記動作周波数に重み付けして前記動作周波数を選定する請求項１から請求項６のいずれかに記載の無線通信装置。
【請求項８】
前記周波数選定手段は、前記動作周波数毎の前記重み付けの加算値を求めるとともに、前記加算値が最も大きい前記動作周波数を選定する請求項７記載の無線通信装置。
【請求項９】
前記周波数選定手段は、前記距離が前記受信チャネル情報の周波数から所定の帯域内である場合と前記距離が前記帯域外である場合とで異なる前記重み付けにする請求項７または請求項８記載の無線通信装置。
【請求項１０】
前記周波数選定手段は、周波数軸方向にデータが拡散される前記帯域内である場合と前記帯域外である場合とで異なる前記重み付けにする請求項９記載の無線通信装置。
【請求項１１】
前記周波数選定手段は、現在通信中のセルで使用している前記受信チャネル情報の周波数と干渉しない前記候補周波数の前記重み付けに対して、優先的に選定するための所定の係数を乗算して前記動作周波数を選定する請求項８から請求項１０のいずれかに記載の無線通信装置。
【請求項１２】
前記周波数選定手段は、前記受信チャネル情報の周波数と干渉する前記動作周波数の前記重み付けを「０」にするとともに、前記受信チャネル情報の周波数と干渉しない前記動作周波数の前記重み付けを「１」とし、前記係数として「３」を乗算する請求項１１記載の無線通信装置。
【請求項１３】
前記周波数選定手段は、前記無線周波数と干渉しない二以上の前記動作周波数を選定可能である場合には、選定可能な二以上の前記動作周波数の高調波信号成分の周波数の内で現在通信しているセルの無線周波数から最も離れた周波数の高調波信号成分を生じる前記動作周波数を選定する請求項１から請求項１２のいずれかに記載の無線通信装置。
【請求項１４】
各セルで使用する無線周波数の情報である受信チャネル情報に基づいて前記無線周波数と干渉しない動作周波数を選定する周波数選定方法。
【請求項１５】
前記受信チャネル情報の周波数と選定可能な前記動作周波数の高調波信号成分の周波数である候補周波数との周波数軸上の距離に基づいて前記受信チャネル情報の周波数毎に前記動作周波数に重み付けして前記動作周波数を選定する請求項１４記載の周波数選定方法。
【請求項１６】
前記動作周波数毎の前記重み付けの加算値を求めるとともに、前記加算値が最も大きい前記動作周波数を選定する請求項１５記載の周波数選定方法。
【請求項１７】
前記距離が前記受信チャネル情報の周波数から所定の帯域内である場合と前記距離が前記帯域外である場合とで異なる前記重み付けにする請求項１５または請求項１６記載の周波数選定方法。
【請求項１８】
周波数軸方向にデータが拡散される前記帯域に前記動作周波数が含まれる場合と前記帯域に前記動作周波数が含まれない場合とで異なる前記重み付けにする請求項１７記載の周波数選定方法。
【請求項１９】
現在通信中のセルで使用している前記受信チャネル情報の周波数と干渉しない前記動作周波数の前記重み付けに対して優先的に選択するための所定の係数を乗算して前記動作周波数を選定する請求項１６から請求項１８のいずれかに記載の周波数選定方法。
【請求項２０】
前記受信チャネル情報の周波数と干渉する前記動作周波数の前記重み付けを「０」にするとともに、前記受信チャネル情報の周波数と干渉しない前記動作周波数の前記重み付けを「１」とし、前記係数として「３」を乗算する請求項１９記載の周波数選定方法。
【請求項２１】
前記無線周波数と干渉しない二以上の前記動作周波数を選定可能である場合には、選定可能な二以上の前記動作周波数の高調波信号成分の周波数の内で現在通信しているセルの無線周波数から最も離れた周波数の高調波信号成分を生じる前記動作周波数を選定する請求項１５から請求項２０のいずれかに記載の周波数選定方法。
【発明の詳細な説明】
【技術分野】
【０００１】
本発明は、特に周辺セルにハンドオーバを行うことにより異なる無線周波数を使用して通信を行う無線通信装置及び周波数選定方法に関する。
【背景技術】
【０００２】
近年の受信機能または送信機能を備えた様々な通信装置には、処理の制御や解析等を行うためのマイクロコンピュータ、ディジタルシグナルプロセッサ（ＤＳＰ）、或いは特殊用途ＬＳＩ等が搭載されており、また、ＬＳＩ等を駆動するためのＬＳＩ動作クロックを発振する発振手段も搭載されている。しかし、このＬＳＩ動作クロックは多くの高調波を含んでおり、その高調波成分が受信帯域や送信帯域に混入すると受信機能や送信機能の妨害となる。図１５は、デバイス動作周波数の高調波が無線周波数帯と干渉する様子を示す図である。
【０００３】
このような干渉を軽減する方法として、干渉の原因となる信号線にフィルタ等を挿入して信号波形を鈍らせるハード対策が考えられる。しかし、この場合には、フィルタ等を挿入することにより部品点数が増加するとともに、完全には干渉を防ぐことができないという問題がある。
【０００４】
そこで、従来は、干渉が生じないように、使用中の無線周波数に応じて生成するクロックの周波数を変えてＣＰＵに供給することにより、受信波干渉の軽減を図るものが知られている（例えば、特許文献１）。
【特許文献１】特開２０００−３４１１６５号公報
【発明の開示】
【発明が解決しようとする課題】
【０００５】
しかしながら、従来の装置においては、現在通信中の無線周波数情報だけに基づいてデバイスに供給するクロックの周波数を選択しているので、端末が周辺セルに移動した際に、急激に受信感度の劣化を引き起こす可能性があるという問題がある。また、デバイスによっては、デバイスの起動時にしか周波数を変更できないものもあり、また、デバイスの起動後に動的に変更できる場合でも、周辺セルへのハンドオーバの際に周辺セルが使用する周波数情報に基づいて周波数を再設定するので、ハンドオーバしてから周波数を再設定するまでの間は受信感度の劣化が生じるという問題がある。
【０００６】
本発明はかかる点に鑑みてなされたものであり、周辺セルの周波数を考慮して周波数を選定することにより、ハンドオーバにより周辺セルに移動した際に、急激な受信感度の劣化が生じることを防ぐことができる無線通信装置及び周波数選定方法を提供することを目的とする。
【課題を解決するための手段】
【０００７】
本発明の無線通信装置は、各セルで使用する無線周波数の情報である受信チャネル情報を記憶する記憶手段と、前記受信チャネル情報に基づいて前記無線周波数と干渉しない動作周波数を選定する周波数選定手段と、前記周波数選定手段で選定した前記動作周波数の動作クロックを生成するとともに、生成した前記動作クロックでデバイスを動作させるタイミング制御手段と、を具備する構成を採る。
【０００８】
本発明の周波数選定方法は、各セルで使用する無線周波数の情報である受信チャネル情報に基づいて前記無線周波数と干渉しない動作周波数を選定するようにした。
【発明の効果】
【０００９】
本発明によれば、周辺セルの周波数を考慮して周波数を選定することにより、ハンドオーバにより周辺セルに移動した際に、急激な受信感度の劣化が生じることを防ぐことができる。
【発明を実施するための最良の形態】
【００１０】
以下、本発明の実施の形態について、図面を参照して詳細に説明する。
【００１１】
（実施の形態１）
図１は、本発明の実施の形態１に係る無線通信装置１００の構成を示すブロック図である。
【００１２】
受信品質測定部１０４と、ハンドオーバ部１０５と、周波数選定部１０６と、基準クロック供給部１０７と、タイミング制御部１０８と、画像処理制御部１０９は、ＣＰＵ１５０を構成する。また、タイミング制御部１１０とカメラ部１１１は、カメラモジュール１６０を構成する。本実施の形態においては、カメラモジュール１６０が動作クロックを供給されるデバイスである場合について説明する。
【００１３】
アンテナ１０１は、所定の無線周波数の信号を受信してＲＦ部１０２へ出力する。
【００１４】
ＲＦ部１０２は、アンテナ１０１から入力した受信信号を無線周波数からベースバンド周波数にダウンコンバートして受信品質測定部１０４へ出力する。
【００１５】
記憶手段であるメモリ１０３は、現在通信中のセルで使用している無線周波数の情報及び現在通信中のセルの周囲のセルである周辺セルで使用する無線周波数の情報である受信チャネル情報を記憶している。即ち、受信チャネル情報とは、各セルで使用する無線周波数の情報である。
【００１６】
受信品質測定部１０４は、ＲＦ部１０２から入力した受信信号の受信品質を測定し、測定結果をハンドオーバ部１０５へ出力する。
【００１７】
ハンドオーバ部１０５は、受信品質測定部１０４から入力した測定結果を参照して、メモリ１０３に記憶している受信チャネル情報の無線周波数を使用するセルの内で測定結果がしきい値以上の周辺セルへハンドオーバを行う。
【００１８】
周波数選定部１０６は、メモリ１０３から受信チャネル情報を読み出すとともに、読み出した受信チャネル情報とハンドオーバ部１０５から通知されたハンドオーバ先の周辺セルとに基づいて、カメラモジュール１６０を動作させる際に使用するとともに受信チャネル情報の無線周波数とは干渉しないカメラクロック周波数（動作周波数）を選定する。そして、周波数選定部１０６は、タイミング制御部１０８及びタイミング制御部１１０に対して、選定したカメラクロック周波数の動作クロックを生成するように制御する。なお、カメラクロック周波数を選定する方法については後述する。
【００１９】
基準クロック供給部１０７は、ＣＰＵ１５０を動作させるための基準となる周波数の基準クロックを生成し、生成した基準クロックをタイミング制御部１０８へ出力する。
【００２０】
タイミング制御部１０８は、例えば逓倍・分周回路であり、周波数選定部１０６の制御に従って、基準クロック供給部１０７から入力した基準クロックを逓倍及び分周して画像処理制御部１０９及びタイミング制御部１１０へ出力する。なお、タイミング制御部１０８の構成の詳細については後述する。
【００２１】
画像処理制御部１０９は、タイミング制御部１０８から入力したクロックに基づいて、後述するカメラ部１１１から入力した画像データの画像処理を行って表示部１１２へ出力する。
【００２２】
タイミング制御部１１０は、例えば逓倍・分周回路であり、周波数選定部１０６の制御に従って、タイミング制御部１０８から入力したクロックを、基準クロックとしてさらに逓倍及び分周し、カメラモジュール１６０を動作させるためのカメラクロック周波数の動作クロックを生成する。そして、タイミング制御部１１０は、生成した動作クロックをカメラ部１１１へ出力することで、カメラ部１１１からカメラクロック周波数と同期して画像データが出力されるように制御する。なお、タイミング制御部１１０の構成の詳細については後述する。
【００２３】
カメラ部１１１は、撮像するとともに、タイミング制御部１１０による制御に従って、撮像した画像の画像データを画像処理制御部１０９へ出力する。
【００２４】
表示部１１２は、画像処理制御部１０９から入力した画像処理された画像データの画像を表示する。
【００２５】
次に、タイミング制御部１０８の構成の詳細について、図２を用いて説明する。図２は、タイミング制御部１０８の構成を示すブロック図である。
【００２６】
位相比較器２０１は、基準クロック供給部１０７から入力した基準クロックの位相と、分周器２０４から入力した分周したクロックの位相とを比較して位相差を検出し、検出した位相差を出力する。
【００２７】
ＬＰＦ２０２は、位相比較器２０１から入力した位相差信号を直流化（高周波成分を遮断）し、ＶＣＯ２０３へ出力する。
【００２８】
ＶＣＯ２０３は、ＬＰＦ２０２から入力した直流信号によって発信周波数を制御することにより所定の周波数のクロックをタイミング制御部１１０及び分周器２０４へ出力する。
【００２９】
分周器２０４は、ＶＣＯ２０３から入力したクロックを分周して位相比較器２０１へ出力する。
【００３０】
次に、タイミング制御部１１０の構成の詳細について、図３を用いて説明する。図３は、タイミング制御部１１０の構成を示すブロック図である。
【００３１】
位相比較器３０１は、タイミング制御部１０８から入力した逓倍及び分周したクロックの位相と、分周器３０４から入力した分周したクロックの位相とを比較して位相差を検出し、検出した位相差を出力する。
【００３２】
ＬＰＦ３０２は、位相比較器３０１から入力した位相差信号を直流化（高周波成分を遮断）し、ＶＣＯ３０３へ出力する。
【００３３】
ＶＣＯ３０３は、ＬＰＦ３０２から入力した直流信号によって発信周波数を制御することによりカメラモジュール１６０のカメラクロック周波数の動作クロックを生成して、生成した動作クロックをカメラ部１１１へ出力する。
【００３４】
分周器３０４は、ＶＣＯ３０３から入力した動作クロックを分周して位相比較器３０１へ出力する。
【００３５】
次に、無線通信装置１００の動作について、図４を用いて説明する。図４は、無線通信装置１００の動作を示すフロー図である。
【００３６】
最初に、無線通信装置１００の表示部１１２に表示されるメニュー画面のカメラアイコンが選択された場合に、カメラモジュール１６０が起動する（ステップＳＴ４０１）。
【００３７】
次に、無線通信装置１００の周波数選定部１０６は、メモリ１０３から受信チャネル情報を取得する（ステップＳＴ４０２）。例えば、周波数選定部１０６は、受信チャネル情報として、ＦＩＤ１とＦＩＤ２とＦＩＤ３の３つの無線周波数の受信チャネル情報を取得する。ここで、ＦＩＤ１は、無線通信装置１００が通信中のセルの無線周波数であり、ＦＩＤ２及びＦＩＤ３は、ハンドオーバ候補である周辺セルで使用する無線周波数であるものとする。
【００３８】
次に、周波数選定部１０６は、あらかじめ設定されているカメラクロックの逓倍波の周波数と受信チャネル情報の無線周波数との距離を計算する（ステップＳＴ４０３）。ここで距離とは、周波数軸上における各周波数間の間隔である。例えば、周波数選定部１０６は、カメラクロックとしてＦ１とＦ２とＦ３とＦ４の４つの周波数が設定されている場合に、ＦＩＤ１とＦＩＤ２とＦＩＤ３の３つの無線周波数と、Ｆ１とＦ２とＦ３とＦ４の４つのカメラクロック周波数との各々の距離を計算する。即ち、周波数選定部１０６は、（１）式を用いて１２通りの周波数の組み合わせにおいて、組み合わせ毎の距離の計算を行う。
【００３９】
ＦＩＤｎ÷Ｆｍ＝Ｑ・・・ａ
ｆｓｐ ｎｍ＝ａ（ａ＜（Ｆｍ／２）の場合）
ｆｓｐ ｎｍ＝Ｆｍ−ａ（ａ＞＝（Ｆｍ／２）の場合）          （１）
ただし、ｎは、無線周波数（ｎは任意の自然数、本実施の形態１ではｎ＝１，２，３）
ｍは、カメラクロック周波数（ｍは任意の自然数、本実施の形態１ではｍ＝１，
２，３，４）
Ｑは、商
ａは、余り
ｆｓｐは、カメラクロック（Ｆ１〜Ｆ４）の逓倍波の周波数と受信チャネル情報（ＦＩＤ１〜ＦＩＤ３）の無線周波数との距離
【００４０】
図５は、周波数選定部１０６における距離の計算方法を示す図である。なお、図５において、Ｆ１×Ｎ（候補周波数）はカメラクロック周波数Ｆ１の高調波信号成分の周波数を示すものであり、Ｆ２×Ｎ（候補周波数）はカメラクロック周波数Ｆ２の高調波信号成分の周波数を示すものであり、Ｆ３×Ｎ（候補周波数）はカメラクロック周波数Ｆ３の高調波信号成分の周波数を示すものであり、Ｆ４×Ｎ（候補周波数）はカメラクロック周波数Ｆ４の高調波信号成分の周波数を示すものである。図５より、周波数選定部１０６は、無線周波数ＦＩＤ１については、無線周波数ＦＩＤ１からカメラクロック周波数Ｆ１×Ｎまでの距離Ｒ１と、無線周波数ＦＩＤ１からカメラクロック周波数Ｆ２×Ｎまでの距離Ｒ２と、無線周波数ＦＩＤ１からカメラクロック周波数Ｆ３×Ｎまでの距離Ｒ３と、無線周波数ＦＩＤ１からカメラクロック周波数Ｆ４×Ｎまでの距離Ｒ４の各々について計算する。また、周波数選定部１０６は、無線周波数ＦＩＤ２及び無線周波数ＦＩＤ３についても同様に計算する。
【００４１】
ここで、周波数帯Ｆ５００は、無線周波数ＦＩＤ１で通信する場合におけるデータが存在する帯域である。所定の拡散符号を用いて送信データを拡散処理する例えばＷ−ＣＤＭＡ方式の場合には、周波数帯Ｆ５００は、拡散処理により周波数軸方向にデータが拡散される帯域である。また、周波数帯Ｆ５００が無線周波数ＦＩＤ１と干渉する周波数である。
【００４２】
図４に戻って、次に、周波数選定部１０６は、ステップＳＴ４０３で計算した各距離に対して重み付けする（ステップＳＴ４０４）。具体的には、周波数選定部１０６は、（２）式により重み付けする。
【００４３】
【数１】
2008136200.tif 000003
【００４４】
図６〜図８は、ステップＳＴ４０３で計算した各距離に対して重み付けする方法を示す図である。図６は、無線周波数ＦＩＤ１の場合の重み付けする方法を示す図であり、図７は、無線周波数ＦＩＤ２の場合の重み付けする方法を示す図であり、図８は、無線周波数ＦＩＤ３の場合の重み付けする方法を示す図である。なお、図６〜図８において、Ｆ１×Ｎはカメラクロック周波数Ｆ１の高調波信号成分の周波数を示すものであり、Ｆ２×Ｎはカメラクロック周波数Ｆ２の高調波信号成分の周波数を示すものであり、Ｆ３×Ｎはカメラクロック周波数Ｆ３の高調波信号成分の周波数を示すものであり、Ｆ４×Ｎはカメラクロック周波数Ｆ４の高調波信号成分の周波数を示すものである。また、図６〜図８では、無線通信装置１００は、現在、無線周波数ＦＩＤ１を使用するセルで通信を行っているものとする。
【００４５】
無線周波数ＦＩＤ１の場合は、図６より、無線周波数ＦＩＤ１からＦ１×Ｎまでの距離Ｒ１は帯域Ｆ６０１−１よりも大きい。一方、無線周波数ＦＩＤ１からＦ２×Ｎまでの距離Ｒ２と、無線周波数ＦＩＤ１からＦ３×Ｎまでの距離Ｒ３と、無線周波数ＦＩＤ１からＦ４×Ｎまでの距離Ｒ４は帯域Ｆ６０１−１または帯域Ｆ６０１−２よりも小さい。これより、カメラクロック周波数Ｆ１の、高調波信号成分Ｆ１×Ｎのみが、無線周波数ＦＩＤ１のデータの存在する帯域Ｆ６０１に含まれない周波数であり、その他のカメラクロック周波数Ｆ２、Ｆ３、Ｆ４の高調波信号成分Ｆ２×Ｎ、Ｆ３×Ｎ、Ｆ４×Ｎは、無線周波数ＦＩＤ１のデータが存在する帯域Ｆ６０１に含まれる周波数である。従って、周波数選定部１０６は、カメラクロック周波数Ｆ１の重み付けを「１」にし、カメラクロック周波数Ｆ２の重み付けを「０」にし、カメラクロック周波数Ｆ３の重み付けを「０」にするとともにカメラクロック周波数Ｆ４の重み付けを「０」にする。
【００４６】
また、無線周波数ＦＩＤ２の場合は、図７より、無線周波数ＦＩＤ２からＦ２×Ｎまでの距離Ｒ２と、無線周波数ＦＩＤ２からＦ３×Ｎまでの距離Ｒ３と、無線周波数ＦＩＤ２からＦ４×Ｎまでの距離Ｒ４は帯域Ｆ７０１−１よりも大きい。一方、無線周波数ＦＩＤ２からＦ１×Ｎまでの距離Ｒ１は帯域Ｆ７０１−１よりも小さい。これより、カメラクロック周波数Ｆ１の高調波信号成分Ｆ１×Ｎのみが、無線周波数ＦＩＤ２のデータの存在する帯域Ｆ７０１に含まれる周波数であり、その他のカメラクロック周波数Ｆ２、Ｆ３、Ｆ４の高調波信号成分Ｆ２×Ｎ、Ｆ３×Ｎ、Ｆ４×Ｎは、無線周波数ＦＩＤ２のデータが存在する帯域Ｆ７０１に含まれない周波数である。従って、周波数選定部１０６は、カメラクロック周波数Ｆ１の重み付けを「０」にし、カメラクロック周波数Ｆ２の重み付けを「１」にし、カメラクロック周波数Ｆ３の重み付けを「１」にするとともにカメラクロック周波数Ｆ４の重み付けを「１」にする。
【００４７】
また、無線周波数ＦＩＤ３の場合は、図８より、無線周波数ＦＩＤ３からＦ２×Ｎまでの距離Ｒ２と、無線周波数ＦＩＤ３からＦ３×Ｎまでの距離Ｒ３と、無線周波数ＦＩＤ３からＦ４×Ｎまでの距離Ｒ４は帯域Ｆ８０１−２よりも大きい。一方、無線周波数ＦＩＤ３からＦ１×Ｎまでの距離Ｒ１は帯域Ｆ８０１−２よりも小さい。これより、カメラクロック周波数Ｆ１の高調波信号成分Ｆ１×Ｎのみが、無線周波数ＦＩＤ３のデータの存在する帯域Ｆ８０１に含まれる周波数であり、その他のカメラクロック周波数Ｆ２、Ｆ３、Ｆ４の高調波信号成分Ｆ２×Ｎ、Ｆ３×Ｎ、Ｆ４×Ｎは、無線周波数ＦＩＤ３のデータが存在する帯域Ｆ８０１に含まれない周波数である。従って、周波数選定部１０６は、カメラクロック周波数Ｆ１の重み付けを「０」にし、カメラクロック周波数Ｆ２の重み付けを「１」にし、カメラクロック周波数Ｆ３の重み付けを「１」にするとともにカメラクロック周波数Ｆ４の重み付けを「１」にする。
【００４８】
周波数選定部１０６は、図６〜図８で求めた重み付けを集計する。その際に、周波数選定部１０６は、現在使用中の無線周波数はＦＩＤ１であるので、ＦＩＤ１の全ての重み付けに対して、無線周波数ＦＩＤ１と干渉しない高調波を生じるカメラクロック周波数を優先的に選定するための係数「３」を乗算する。この結果、周波数選定部１０６は、図９に示すような重み付け結果を得る。そして、周波数選定部１０６は、（３）式により重み付けの加算値Ｗ［ｍ］を求めて、重み付けの加算値が最も大きいＦ１をカメラクロック周波数として選定する。
【００４９】
【数２】
2008136200.tif 000004
【００５０】
再び図４に戻って、次に、周波数選定部１０６は、重み付けの加算値Ｗ［ｍ］が最大となるカメラクロック周波数Ｆｍが一つだけか否かを判定する（ステップＳＴ４０５）。
【００５１】
図６〜図８の場合には、重み付けの加算値Ｗ［ｍ］が最大となるカメラクロック周波数ＦｍはＦ１の一つだけであるので、周波数選定部１０６は、最適なカメラクロック周波数をＦ１に決定する（ステップＳＴ４０６）。
【００５２】
次に、周波数選定部１０６は、カメラクロック周波数がＦ１になるようなタイミング制御部１０８及びタイミング制御部１１０の逓倍・分周比を設定する（ステップＳＴ４０７）。
【００５３】
次に、タイミング制御部１０８及びタイミング制御部１１０は、設定した逓倍・分周比でクロックを分周するとともに逓倍してカメラクロック周波数Ｆ１の動作クロックを生成する。これにより、カメラ部１１１から画像処理制御部１０９へ出力される画像データが同期する動作クロックはカメラクロック周波数Ｆ１であるので、信号線１２０から生じる高調波と信号線１３０の受信信号とが干渉することを防ぐことができる。
【００５４】
一方、ステップＳＴ４０５において、重み付けの加算値Ｗ［ｍ］が最大となるカメラクロック周波数Ｆｍが二つ以上存在する場合には、周波数選定部１０６は、重み付けの加算値Ｗ［ｍ］が最大となるカメラクロック周波数Ｆｍの内で距離が最大になる周波数をカメラクロック周波数として選定する。即ち、周波数選定部１０６は、ＦＩＤ１との距離ｆｓｐ  １ｍが最大になる周波数をカメラクロック周波数として選定する。
【００５５】
因みに、周波数選定部１０６で重み付けに乗算する係数を「２」にした場合には、図９においては、Ｆ１の重み付けの加算値Ｗ［ｍ］も「２」になり、重み付けの加算値Ｗ［ｍ］は全てのカメラクロック周波数で「２」になる。この場合には、周波数選定部１０６は、現在通信中のセルで使用している周波数ＦＩＤ１と唯一干渉しない高調波を生じるカメラクロック周波数Ｆ１を選択せずに、周波数ＦＩＤ１と干渉する高調波を生じるカメラクロック周波数Ｆ２、Ｆ３、Ｆ４を選択する可能性がある。従って、重み付けに乗算する係数は、「３」に設定するのが好ましい。なお、重み付けに乗算する係数は「３」に限らず、干渉の程度に応じて、重み付けに乗算する係数は「４」または「５」等の任意の値に設定することができる。
【００５６】
なお、無線周波数は通常８００ＭＨｚ帯から２ＧＨｚ帯であり、カメラクロック周波数Ｆ１〜Ｆ４が数十ＭＨｚの場合は、カメラクロック周波数Ｆ１〜Ｆ４と無線周波数とが干渉することはない。しかし、カメラクロック周波数Ｆ１〜Ｆ４から生じる、カメラクロック周波数Ｆ１〜Ｆ４をＮ倍（Ｎは任意の自然数）した高調波成分の周波数が無線周波数と干渉することが干渉劣化の要因になる。即ち、カメラクロック（方形波）をフーリエ変換した際に、周波数軸上に現れる高調波成分の信号が無線周波数と干渉する。
【００５７】
図１０（ａ）〜図１０（ｄ）は、カメラクロック周波数Ｆ１〜Ｆ４の高調波信号成分の無線帯域上における信号レベルを示す図である。図１０（ａ）は、カメラクロック周波数Ｆ１の高調波信号成分の無線帯域上における信号レベルを示す図であり、図１０（ｂ）は、カメラクロック周波数Ｆ２の高調波信号成分の無線帯域上における信号レベルを示す図であり、図１０（ｃ）は、カメラクロック周波数Ｆ３の高調波信号成分の無線帯域上における信号レベルを示す図であり、図１０（ｄ）は、カメラクロック周波数Ｆ４の高調波信号成分の無線帯域上における信号レベルを示す図である。
【００５８】
カメラクロック周波数Ｆ１〜Ｆ４の高調波信号成分の無線帯域上における信号レベルがそのまま無線帯域での干渉成分となって現れる。例えば、ＦＩＤ１のチャネル周波数が２１５５ＭＨｚ、ＦＩＤ２のチャネル周波数が２１３５ＭＨｚ、及びＦＩＤ３のチャネル周波数が２１２０ＭＨｚであり、Ｆ１＝１６．０９４ＭＨｚ、Ｆ２＝１６．１８４ＭＨｚ、Ｆ３＝１６．２０５ＭＨｚ及びＦ４＝１６．２９３ＭＨｚの場合について説明する。従来のように現在使用しているチャネル周波数(ＦＩＤ周波数)のみからデバイスのクロック周波数を選択した場合、使用チャネル周波数が２１５５ＭＨｚの際には、高周波信号成分の信号レベル（ＲＳＳＩ）はＦ４、Ｆ２、Ｆ３、Ｆ１の順に大きくなるため（ｄ１＜ｂ１＜ｃ１＜ａ１）、高調波信号成分の信号レベルが一番小さいカメラクロック周波数Ｆ４を選択することになる。
【００５９】
本実施の形態１においては、（３）式より、Ｗ［１］＝２、Ｗ［２］＝３、Ｗ［３］＝３、Ｗ［４］＝２となり、重み付けの加算値の最大値は２つ（Ｗ［２］＝Ｗ［３］＝３）となる。ここで（１）式より、ｆｓｐ  １２＞ｆｓｐ  １３であるから、周波数選定部１０６は、カメラクロック周波数Ｆ２を選択する。一方、受信周波数が２１３５ＭＨｚのとき、高調波信号成分の信号レベルはＦ３、Ｆ２、Ｆ１、Ｆ４の順に大きくなり（ｃ２＜ｂ２＜ｄ２＜ａ２）、２１２０ＭＨｚのとき、高調波信号成分の信号レベルはＦ３、Ｆ１、Ｆ２、Ｆ４の順に大きくなる（ｃ３＜ａ３＜ｂ３＜ｄ３）。従って、受信周波数が２１３５ＭＨｚ及び２１２０ＭＨｚのときには、カメラクロック周波数Ｆ４の高調波信号成分は大きいので、周波数選定部１０６は、カメラクロック周波数Ｆ４を選択することはない。これにより、無線通信装置１００は、周辺セルに移動した際でも急激な感度劣化を生じることはない。
【００６０】
このように、本実施の形態１によれば、周辺セルの周波数を考慮してカメラクロック周波数を選定することにより、ハンドオーバにより周辺セルに移動した際に、急激な受信感度の劣化が生じることを防ぐことができる。また、本実施の形態１によれば、計算した周波数軸上の距離に応じて重み付けするので、より最適なカメラクロック周波数を選定することができる。また、本実施の形態１によれば、現在通信中のセルで使用している無線周波数の重み付けに対して係数を乗算するので、現在通信中のセルで使用している無線周波数と干渉しないカメラクロック周波数が選定されやすいので、ハンドオーバしない場合でも最適なカメラクロック周波数を選定することができる。また、本実施の形態１によれば、現在通信中のセルで使用している無線周波数の重み付けに対して乗算する係数を「３」にするので、ハンドオーバしない場合でも最適なカメラクロック周波数を選定することができると同時に、ハンドオーバした場合にも最適なカメラクロック周波数を選定することができる。
【００６１】
（実施の形態２）
図１１は、本発明の実施の形態２に係る無線通信装置１１００の構成を示すブロック図である。本実施の形態においては、表示部１１０２が動作クロックを供給されるデバイスである場合について説明する。
【００６２】
本実施の形態２に係る無線通信装置１１００は、図１に示す実施の形態１に係る無線通信装置１００において、図１１に示すように、タイミング制御部１１０とカメラ部１１１を除き、タイミング制御部１０８の代わりにタイミング制御部１１０１を有するとともに表示部１１２の代わりに表示部１１０２を有する。なお、図１１においては、図１と同一構成である部分には同一の符号を付してその説明は省略する。
【００６３】
周波数選定部１０６は、メモリ１０３から受信チャネル情報を読み出すとともに、読み出した受信チャネル情報に基づいて、ＬＣＤ等の表示部１１０２を動作させる際に使用するとともに受信チャネル情報の無線周波数とは干渉しないピクセルクロック周波数（動作周波数）を選定する。そして、周波数選定部１０６は、タイミング制御部１１０１に対して、選定したピクセルクロック周波数の動作クロックを生成するように制御する。なお、ピクセルクロック周波数を選定する方法について後述する。
【００６４】
受信品質測定部１０４と、ハンドオーバ部１０５と、周波数選定部１０６と、基準クロック供給部１０７と、画像処理制御部１０９と、タイミング制御部１１０１は、ＣＰＵ１１５０を構成する。
【００６５】
タイミング制御部１１０１は、例えば逓倍・分周回路であり、周波数選定部１０６の制御に従って、基準クロック供給部１０７から入力した基準クロックを逓倍及び分周して、周波数選定部１０６が選定したピクセルクロック周波数の動作クロックを表示部１１０２へ出力する。
【００６６】
画像処理制御部１０９は、タイミング制御部１１０１から入力したクロックに基づいて、所定の画像データの画像処理を行って表示部１１０２へ出力する。
【００６７】
表示部１１０２は、液晶表示デバイスであり、画像処理制御部１０９から入力した画像データの画像の表示を行う。また、表示部１１０２は、表示する際に、タイミング制御部１１０１から供給される動作クロックのピクセルクロック周波数に同期して表示処理を行う。なお、タイミング制御部１１０１の構成は図２と同一構成であるので、その説明は省略する。
【００６８】
次に、無線通信装置１１００の動作について、図１２を用いて説明する。図１２は、無線通信装置１１００の動作を示すフロー図である。
【００６９】
最初に、無線通信装置１１００のフリップを開くことにより表示部１１０２の液晶が起動する（ステップＳＴ１２０１）。
【００７０】
次に、無線通信装置１１００の周波数選定部１０６は、メモリ１０３から受信チャネル情報を取得する（ステップＳＴ１２０２）。例えば、周波数選定部１０６は、受信チャネル情報として、ＦＩＤ１とＦＩＤ２とＦＩＤ３の３つの周波数の受信チャネル情報を取得する。
【００７１】
次に、周波数選定部１０６は、あらかじめ設定されているピクセルクロックの逓倍波の周波数と受信チャネル情報の無線周波数との距離を計算する（ステップＳＴ１２０３）。ここで距離とは、周波数軸上における各周波数間の間隔である。例えば、周波数選定部１０６は、ピクセルクロックとしてＦ１とＦ２とＦ３とＦ４の４つの周波数が設定されている場合に、ＦＩＤ１とＦＩＤ２とＦＩＤ３の３つの無線周波数と、Ｆ１とＦ２とＦ３とＦ４の４つの周波数との各々の距離を計算する。即ち、周波数選定部１０６は、（１）式を用いて１２通りの周波数の組み合わせにおいて、組み合わせ毎の距離の計算を行う。
【００７２】
次に、周波数選定部１０６は、ステップＳＴ１２０３で計算した各距離に対して重み付けする（ステップＳＴ１２０４）。具体的には、周波数選定部１０６は、（２）式により重み付けする。
【００７３】
次に、周波数選定部１０６は、重み付けの加算値Ｗ［ｍ］が最大となるピクセルクロック周波数Ｆｍが一つだけ存在するか否かを判定する（ステップＳＴ１２０５）。
【００７４】
周波数選定部１０６は、重み付けの加算値Ｗ［ｍ］が最大となるピクセルクロック周波数Ｆｍが一つだけである場合に、最適なピクセルクロック周波数Ｆｍを決定する（ステップＳＴ１２０６）。
【００７５】
次に、周波数選定部１０６は、最適なピクセルクロック周波数Ｆｍになるようなタイミング制御部１１０１の逓倍・分周比を設定する（ステップＳＴ１２０７）。
【００７６】
次に、タイミング制御部１１０１は、設定した逓倍・分周比で入力信号を分周するとともに逓倍してピクセルクロック周波数Ｆｍの動作クロックを生成する。これにより、ＣＰＵ１１５０から表示部１１０２へ出力される信号が同期する動作クロックはピクセルクロック周波数Ｆｍであるので、信号線１１２０から生じる高調波と信号線１３０の受信信号とが干渉することを防ぐことができる。
【００７７】
一方、ステップＳＴ１２０５において、重み付けの加算値Ｗ［ｍ］が最大となるピクセルクロック周波数Ｆｍが二つ以上存在する場合には、周波数選定部１０６は、重み付けの加算値Ｗ［ｍ］が最大となるピクセルクロック周波数Ｆｍの内で距離が最大になる周波数をピクセルクロック周波数として選定する（ステップＳＴ１２０８）。即ち、周波数選定部１０６は、ＦＩＤ１との距離ｆｓｐ＿１ｍが最大になる周波数をピクセルクロック周波数として選定する。
【００７８】
このように、本実施の形態２によれば、周辺セルの周波数を考慮してピクセルクロック周波数を選定することにより、ハンドオーバにより周辺セルに移動した際に、急激な受信感度の劣化が生じることを防ぐことができる。また、本実施の形態２によれば、計算した周波数軸上の距離に応じて重み付けするので、より最適なピクセルクロック周波数を選定することができる。また、本実施の形態２によれば、現在通信中のセルで使用している無線周波数の重み付けに対して係数を乗算するので、現在通信中のセルで使用している無線周波数と干渉しないピクセルクロック周波数が選定されやすいので、ハンドオーバしない場合でも最適なピクセルクロック周波数を選定することができる。また、本実施の形態２によれば、現在通信中のセルで使用している無線周波数の重み付けに対して乗算する係数を「３」にするので、ハンドオーバしない場合でも最適なピクセルクロック周波数を選定することができると同時に、ハンドオーバした場合にも最適なピクセルクロック周波数を選定することができる。
【００７９】
（実施の形態３）
図１３は、本発明の実施の形態３に係る無線通信装置１３００の構成を示すブロック図である。本実施の形態においては、メモリカード部１３０３が動作クロックを供給されるデバイスである場合について説明する。
【００８０】
本実施の形態３に係る無線通信装置１３００は、図１に示す実施の形態１に係る無線通信装置１００において、図１３に示すように、画像処理制御部１０９とタイミング制御部１１０とカメラ部１１１と表示部１１２を除き、メモリカードデータ処理部１３０２及びメモリカード部１３０３を追加し、タイミング制御部１０８の代わりにタイミング制御部１３０１を有する。なお、図１３においては、図１と同一構成である部分には同一の符号を付してその説明は省略する。
【００８１】
周波数選定部１０６は、メモリ１０３から受信チャネル情報を読み出すとともに、読み出した受信チャネル情報に基づいて、メモリカード部１３０３を動作させる際に使用するとともに受信チャネル情報の無線周波数とは干渉しないメモリカード用クロック周波数（動作周波数）を選定する。そして、周波数選定部１０６は、タイミング制御部１３０１に対して、選定したメモリカード用クロック周波数の動作クロックを生成するように制御する。なお、メモリカード用クロック周波数を選定する方法については後述する。
【００８２】
タイミング制御部１３０１は、例えば逓倍・分周回路であり、周波数選定部１０６の制御に従って、基準クロック供給部１０７から入力した基準クロックを逓倍及び分周して、周波数選定部１０６が選定したメモリカード用クロック周波数の動作クロックをメモリカード部１３０１及びメモリカードデータ処理部１３０２へ出力する。
【００８３】
メモリカードデータ処理部１３０２は、タイミング制御部１３０１から入力した動作クロックに基づいて、メモリカード部１３０３から入力したデータを処理するとともに所定のデータをメモリカード部１３０３へ出力する。
【００８４】
メモリカード部１３０３は、挿入されたメモリカードと電気的及び機械的に接続するソケットを有するメモリカードデバイスであり、タイミング制御部１３０１から入力した動作クロックのメモリカード用クロック周波数と同期して、ソケットに挿入されたメモリカードからデータを読み出したり、またはソケットに挿入されたメモリカードにデータを書き込んだりする。そして、メモリカード部１３０３は、メモリカードから読み出したデータをメモリカードデータ処理部１３０２へ出力する。なお、タイミング制御部１３０１の構成は図２と同一構成であるので、その説明は省略する。
【００８５】
次に、無線通信装置１３００の動作について、図１４を用いて説明する。図１４は、無線通信装置１３００の動作を示すフロー図である。
【００８６】
最初に、無線通信装置１３００のメモリカード部１３０３にメモリカードが挿入されることにより、挿入されたメモリカードからのデータの読み出し及び挿入されたメモリカードへのデータの書き込みが可能になる（リード／ライト開始）（ステップＳＴ１４０１）。
【００８７】
次に、無線通信装置１３００の周波数選定部１０６は、メモリ１０３から受信チャネル情報を取得する（ステップＳＴ１４０２）。例えば、周波数選定部１０６は、受信チャネル情報として、ＦＩＤ１とＦＩＤ２とＦＩＤ３の３つの周波数の受信チャネル情報を取得する。
【００８８】
次に、周波数選定部１０６は、あらかじめ設定されているメモリカード用クロックの逓倍波の周波数と受信チャネル情報の無線周波数との距離を計算する（ステップＳＴ１４０３）。ここで距離とは、周波数軸上における各周波数間の間隔である。例えば、周波数選定部１０６は、メモリカード用クロックとしてＦ１とＦ２とＦ３とＦ４の４つの周波数が設定されている場合に、ＦＩＤ１とＦＩＤ２とＦＩＤ３の３つの無線周波数と、Ｆ１とＦ２とＦ３とＦ４の４つの周波数との各々の距離を計算する。即ち、周波数選定部１０６は、（１）式を用いて１２通りの周波数の組み合わせにおいて、組み合わせ毎の距離の計算を行う。
【００８９】
次に、周波数選定部１０６は、ステップＳＴ１４０３で計算した各距離に対して重み付けする（ステップＳＴ１４０４）。具体的には、周波数選定部１０６は、（２）式により重み付けする。
【００９０】
次に、周波数選定部１０６は、重み付けの加算値Ｗ［ｍ］が最大となるメモリカード用クロック周波数Ｆｍが一つだけ存在するか否かを判定する（ステップＳＴ１４０５）。
【００９１】
周波数選定部１０６は、重み付けの加算値Ｗ［ｍ］が最大となるメモリカード用クロック周波数Ｆｍが一つだけである場合に、最適なメモリカード用クロック周波数Ｆｍを決定する（ステップＳＴ１４０６）。
【００９２】
次に、周波数選定部１０６は、最適なメモリカード用クロック周波数Ｆｍになるようなタイミング制御部１３０１の逓倍・分周比を設定する（ステップＳＴ１４０７）。
【００９３】
次に、タイミング制御部１３０１は、設定した逓倍・分周比で入力信号を分周するとともに逓倍してメモリカード用クロック周波数Ｆｍの動作クロックを生成する。これにより、メモリカード部１３０３からメモリカードデータ処理部１３０２へ出力されるデータが同期する動作クロックはメモリカード用クロック周波数Ｆｍであるので、信号線１３２０から生じる高調波と信号線１３０の受信信号とが干渉することを防ぐことができる。
【００９４】
一方、ステップＳＴ１４０５において、重み付けの加算値Ｗ［ｍ］が最大となるメモリカード用クロック周波数Ｆｍが一つだけ存在しない場合には、周波数選定部１０６は、重み付けの加算値Ｗ［ｍ］が最大となるメモリカード用クロック周波数Ｆｍの内で距離が最大になる周波数をメモリカード用クロック周波数として選定する（ステップＳＴ１４０８）。即ち、周波数選定部１０６は、ＦＩＤ１との距離ｆｓｐ  １ｍが最大になる周波数をメモリカード用クロック周波数として選定する。
【００９５】
このように、本実施の形態３によれば、周辺セルの周波数を考慮して周波数を選定することにより、ハンドオーバにより周辺セルに移動した際に、急激な受信感度の劣化が生じることを防ぐことができる。また、本実施の形態３によれば、計算した周波数軸上の距離に応じて重み付けするので、より最適なメモリカード用クロック周波数を選定することができる。また、本実施の形態３によれば、現在通信中のセルで使用している無線周波数の重み付けに対して係数を乗算するので、現在通信中のセルで使用している無線周波数と干渉しないメモリカード用クロック周波数が選定されやすいので、ハンドオーバしない場合でも最適なメモリカード用クロック周波数を選定することができる。また、本実施の形態３によれば、現在通信中のセルで使用している無線周波数の重み付けに対して乗算する係数を「３」にするので、ハンドオーバしない場合でも最適なメモリカード用クロック周波数を選定することができると同時に、ハンドオーバした場合にも最適なメモリカード用クロック周波数を選定することができる。
【００９６】
なお、デバイスによっては、ハンドオーバ前後のタイミングにおいて、タイミング制御部で使用する周波数を切り替える際に、切り替え後の周波数に追随することができない場合がある。このような場合、デバイスは、ハンドオーバ前の周波数で制御を行う第１のタイミング制御部と、ハンドオーバ後の周波数で制御を行う第２のタイミング制御部の２つのタイミング制御部を持つようにすることができる。そして、第２のタイミング制御部は、ハンドオーバ完了前に、ハンドオーバ後に使用する周波数に切り替える準備をし、周波数の切り替えの準備ができた時点（安定した後）で、周波数を切り替える。また、このようなデバイスは、起動中には周波数の切り替えを行わず、起動する前にだけ周波数の切り替えを行うようにしてもよい。
【産業上の利用可能性】
【００９７】
本発明にかかる無線通信装置及び周波数選定方法によれば、特に周辺セルにハンドオーバを行うことにより異なる無線周波数を使用して通信を行うのに好適である。
【図面の簡単な説明】
【００９８】
【図１】本発明の実施の形態１に係る無線通信装置の構成を示すブロック図
【図２】本発明の実施の形態１に係るタイミング制御部の構成を示すブロック図
【図３】本発明の実施の形態１に係るタイミング制御部の構成を示すブロック図
【図４】本発明の実施の形態１に係る無線通信装置の動作を示すフロー図
【図５】本発明の実施の形態１に係る距離の計算方法を示す図
【図６】本発明の実施の形態１に係る重み付けする方法を示す図
【図７】本発明の実施の形態１に係る重み付けする方法を示す図
【図８】本発明の実施の形態１に係る重み付けする方法を示す図
【図９】本発明の実施の形態１に係る重み付けする方法を示す図
【図１０（ａ）】本発明の実施の形態１に係る無線周波数とＲＳＳＩとの関係を示す図
【図１０（ｂ）】本発明の実施の形態１に係る無線周波数とＲＳＳＩとの関係を示す図
【図１０（ｃ）】本発明の実施の形態１に係る無線周波数とＲＳＳＩとの関係を示す図
【図１０（ｄ）】本発明の実施の形態１に係る無線周波数とＲＳＳＩとの関係を示す図
【図１１】本発明の実施の形態２に係る無線通信装置の構成を示すブロック図
【図１２】本発明の実施の形態２に係る無線通信装置の動作を示すフロー図
【図１３】本発明の実施の形態３に係る無線通信装置の構成を示すブロック図
【図１４】本発明の実施の形態３に係る無線通信装置の動作を示すフロー図
【図１５】従来のデバイス動作周波数の高調波が無線周波数帯と干渉する様子を示す図
【符号の説明】
【００９９】
１００  無線通信装置
１０１  アンテナ
１０２  ＲＦ部
１０３  メモリ
１０４  受信品質測定部
１０５  ハンドオーバ部
１０６  周波数選定部
１０７  基準クロック供給部
１０８、１１０  タイミング制御部
１０９  画像処理制御部
１１１  カメラ部
１１２  表示部
１５０  ＣＰＵ
１６０  カメラモジュール
【図１】
2008136200.tif 000005
【図２】
2008136200.tif 000006
【図３】
2008136200.tif 000007
【図４】
2008136200.tif 000008
【図５】
2008136200.tif 000009
【図６】
2008136200.tif 000010
【図７】
2008136200.tif 000011
【図８】
2008136200.tif 000012
【図９】
2008136200.tif 000013
【図１０（ａ）】
2008136200.tif 000014
【図１０（ｂ）】
2008136200.tif 000015
【図１０（ｃ）】
2008136200.tif 000016
【図１０（ｄ）】
2008136200.tif 000017
【図１１】
2008136200.tif 000018
【図１２】
2008136200.tif 000019
【図１３】
2008136200.tif 000020
【図１４】
2008136200.tif 000021
【図１５】
2008136200.tif 000022